(57)【要約】【課題】ボタンとボタン突出孔との隙間から浸入してきた浸入水に対する防水機能をさらに改善するとともに、スイッチ化粧部材を用いての取付け形態に対し、スイッチ化粧部材と装着窓孔の孔縁周りとの当接部分から浸入してきた浸入水に対する防水機能をも兼ね備えて、防水に対する信頼性をさらに向上させた押しボタンスイッチの防水構造を提供する。【解決手段】フードパネルＢの裏側にスイッチ取付金具３を介してスイッチ本体１を組み込み取り付け、スイッチ本体１のスイッチ軸１ａに嵌着されるボタン２を、フードパネルＢの装着窓孔１１に嵌め合わせ止着されるスイッチ化粧部材４のボタン突出孔１３から突出させる構成であって、ボタン２の後端周縁に浸入水堰止めフランジ６を備え、さらに、スイッチ化粧部材４に浸入水流下案内部１２を備え、スイッチ取付金具３には浸入水流下案内部１２を流下されてくる浸入水（矢印Ｙ）をスイッチ本体１から外れた外側に導く浸入水排出誘導部９を備えた構成を採用している。【選択図】図３
2010129195.tif 000002
【特許請求の範囲】
【請求項１】
電気機器類の器体カバーの裏側に、少なくともスイッチ取付金具を介して組み込まれるスイッチ本体と、
このスイッチ本体のスイッチ軸に嵌着され、前記器体カバーの装着孔に嵌め合わせ止着されるスイッチ化粧部材に開口されているボタン突出孔から前記器体カバーの表側に突出されるボタンと、を備え、
前記ボタンの押し操作によって前記スイッチ本体の電路の開閉が行われるように構成されている押しボタンスイッチであって、
前記器体カバーの裏側に位置する前記ボタンの後端周縁に、外向きに突出させた浸入水堰止めフランジを備え、
さらに、前記スイッチ化粧部材に浸入水流下案内部を備えるとともに、前記スイッチ取付金具には浸入水排出誘導部を備えてなり、
前記浸入水流下案内部は、前記スイッチ取付金具の上辺部に衝合連係するように形成され、
前記浸入水排出誘導部は、前記浸入水流下案内部を流下されてくる浸入水を前記スイッチ本体から外れた外側に導くように前記上辺部に形成されていることを特徴とする押しボタンスイッチの防水構造。
【請求項２】
前記スイッチ取付金具のボタン通孔よりも前記器体カバーの裏面側に位置する前記ボタンの外周部位に、該ボタンの外部突出側の外径よりも大きい浸入水堰止め段部を備え、
前記浸入水堰止めフランジは、前記ボタン通孔と前記スイッチ本体との間に位置して前記ボタン通孔の孔径よりも大きく形成されていることを特徴とする請求項１に記載の押しボタンスイッチの防水構造。
【請求項３】
前記浸入水堰止め段部が、前記ボタンの軸方向に複数段備えられていることを特徴とする請求項２に記載の押しボタンスイッチの防水構造。
【請求項４】
前記浸入水堰止め段部は、前記ボタンが押し操作されたとき、前記スイッチ取付金具の前記ボタン通孔を通過しない前記ボタンの外周部位に備えられていることを特徴とする請求項２または請求項３に記載の押しボタンスイッチの防水構造。
【発明の詳細な説明】
【技術分野】
【０００１】
本発明は、電気ミキサーその他の電化製品、或いはレンジフードその他の調理機器などの電気機器類の器体カバーに取り付けられて電源のＯＮ／ＯＦＦ切替えなどとして用いられる押しボタンスイッチの防水構造に係り、特に、器体カバーの表側から裏側に浸入した浸入水が、当該裏側に組み込まれているスイッチ本体に流れ触れる（到達する）ことを防ぐための防水構造の改良に関する。
【背景技術】
【０００２】
電気ミキサー、或いはレンジフードなど電気機器類の電源のＯＮ／ＯＦＦ切替えなどとして用いられる押しボタンスイッチは、一般的に、器体カバーの裏側に位置させてスイッチ本体が組み込まれる。そして、スイッチ本体のハウジングから軸方向に摺動（移動）可能に突出するスイッチ軸に嵌着させるボタンを、器体カバーに開口されているボタン突出孔からその表側に突出させて、ボタンの押し操作によってスイッチ本体の電路の開閉切換えなどが行われるように構成されている。
【０００３】
ところで、電気ミキサーなどの電化製品は使用後において、濡れタオル、必要に応じて洗剤を用いてミキサー本体の器体カバー表面に付着した料理素材などの汚れを拭き取ることが日常的に行われている。また、レンジフードにおいては調理中に発生する廃ガス中に含まれている油脂分などが器体カバー、所謂フードパネルに付着し堆積し易いために、洗剤などを用いて油脂分などの汚れを取り除くことが日常的に、定期的に行われている。
このように、濡れタオルや洗剤などを用いて日常的、定期的に行われるお手入れのときに、洗剤を含む水などが、ボタンとボタン突出孔との間のわずかな隙間などから器体カバー内に浸入するおそれがある。そして、器体カバー内に浸入した浸入水の一部が、器体カバーの裏側に組み込まれているスイッチ本体に流れ触れる（到達する）などが繰り返された場合、スイッチ本体の故障を招く原因になることがあった。
【０００４】
そこで、従来では、ボタンの後端周縁に外向きに張り出させたフランジを設けるとともに、フランジの外周縁に環状リブを設けるなどによって、ボタンとボタン突出孔との間のわずかな隙間から器体カバー内に浸入した浸入水の一部が、スイッチ本体側に流れ触れることを防ぐように構成されている押しボタンスイッチの防水構造が提案されている（例えば、特許文献１などを参照）。
【特許文献１】特開２００７−１８８７６１号公報（段落番号００１４、および図１参照）
【発明の開示】
【発明が解決しようとする課題】
【０００５】
ところで、特許文献１に記載の従来技術は、同文献１の図１および図２に示されているように、ボタンのボタン突出孔との隙間から器体カバー内に水が浸入してきた場合、その浸入水がスイッチ本体側へ流れてスイッチ本体に触れることを防ぐ防水については高い防水効果が得られることが分かる。
【０００６】
しかし、このような従来技術では、ボタンのボタン突出孔との隙間以外の他の部分から器体カバー内に水が浸入するおそれがあるものに対して防水効果が得られないと言う問題が残されていた。
つまり、器体カバーに対する押しボタンスイッチの取り付けには、特許文献１に記載されているように、ボタン突出孔を器体カバーに直接開口し、ボタンを器体カバーの表側に直接突出させる取付け形態と、本発明の実施形態において、図１に示すように、ボタンの外径よりも大きめの装着窓孔を器体カバーに開口し、装着窓孔に嵌め合わせ止着されるスイッチ化粧部材に開口されているボタン突出孔からボタンを突出させる取付け形態との主に二つの形態がある。
このように、スイッチ化粧部材のボタン突出孔からボタンを突出させる取付け形態においては、装着窓孔の孔縁周りとスイッチ化粧部材との当接部分からも日常的、定期的に行われるお手入れのときに、洗剤を含む水などが器体カバー内に浸入するおそれがあるが、従来技術では、このような装着窓孔の孔縁周りとスイッチ化粧部材との当接部分から器体カバー内に浸入してきた浸入水がスイッチ本体側に流れ触れることを防ぐ防水構造を備えていないと言う課題が残されていた。
【０００７】
そこで、本発明は、前記課題を解消するために創案されたものであり、ボタンとボタン突出孔との隙間から浸入してきた浸入水に対する防水機能をさらに改善するとともに、スイッチ化粧部材を用いての取付け形態に対し、スイッチ化粧部材と装着窓孔の孔縁周りとの当接部分から浸入してきた浸入水に対する防水機能をも兼ね備えて、防水に対する信頼性をさらに向上させた押しボタンスイッチの防水構造を提供することにある。
【課題を解決するための手段】
【０００８】
前記課題を解決するために、本発明では、電気機器類の器体カバーの裏側に、スイッチ取付金具を介して組み込まれるスイッチ本体と、このスイッチ本体のスイッチ軸に嵌着され、前記器体カバーの装着窓孔に嵌め合わせ止着されるスイッチ化粧部材のボタン突出孔から前記器体カバーの表側に突出されるボタンと、を備え、前記ボタンの押し操作によって前記スイッチ本体の電路の開閉などが行われるように構成されている押しボタンスイッチであって、
前記器体カバーの裏側に位置する前記ボタンの後端周縁に、外向きに突出させた浸入水堰止めフランジを備え、さらに、前記スイッチ化粧部材に浸入水流下案内部を備えるとともに、前記スイッチ取付金具には浸入水排出誘導部を備えてなり、前記浸入水流下案内部は、前記スイッチ取付金具の上辺部に衝合連係するように形成され、前記浸入水排出誘導部は、前記浸入水流下案内部を流下されてくる浸入水を前記スイッチ本体から外れた外側に導くように前記上辺部に形成されていることを特徴とする。
ここで、前記スイッチ取付金具のボタン通孔よりも前記器体カバーの裏面側に位置する前記ボタンの外周部位に、該ボタンの外部突出側の外径よりも大きい浸入水堰止め段部を備え、前記浸入水堰止めフランジは、前記ボタン通孔と前記スイッチ本体との間に位置して前記ボタン通孔の孔径よりも一回りほど大きく形成されていることが好適なものとなる。
また、前記浸入水堰止め段部が、複数段設けられていることが好適なものとなる。さらに、前記浸入水堰止め段部は、前記ボタンが押し操作されたとき、前記スイッチ取付金具の前記ボタン通孔を通過しない前記ボタンの外周部位において備えられていることが好適なものとなる。
【０００９】
このような構成によれば、ボタンとボタン突出孔との隙間から器体カバー内に浸入してきた浸入水は、浸入水堰止めフランジによって、スイッチ本体側への流れが堰止められる。そして、ボタン突出孔を有するスイッチ化粧部材と、このスイッチ化粧部材が嵌め合わせ止着される器体カバーの装着窓孔の孔縁周りとの当接部分から器体カバー内に浸入してきた浸入水は、スイッチ化粧部材に備えられている浸入水流下案内部からスイッチ取付金具の上辺部へと流れ、該上辺部に備えられている浸入水排出誘導部によってスイッチ本体側への流れが堰止めされてスイッチ本体から外れた外側に導かれて排出される。
【００１０】
また、浸入水堰止めフランジよりもボタンの外部突出側に位置するボタンの外周部位に備えられている浸入水堰止め段部が、ボタンとボタン突出孔との隙間からの浸入水のスイッチ本体側への流れを堰止め、また、この浸入水堰止め段部は、ボタンが押し操作されたときに、スイッチ取付金具のボタン通孔よりスイッチ本体側に接近することなく、ボタン通孔の手間に位置することで、ボタンとボタン突出孔との隙間から器体カバー内に浸入してきた浸入水を、常にボタン通孔の手前で堰止めてスイッチ本体側への流れることを防ぐことができる。
そして、仮に一部の浸入水が浸入水堰止め段部を通過して（越えて）きた場合には、ボタン通孔の後方に位置する浸入水堰止めフランジによって堰止めてスイッチ本体側への流れることを防ぐことができる。つまり、ボタンとボタン突出孔との隙間から浸入してきた浸入水は、浸入水堰止め段部と浸入水堰止めフランジとの前後２ヶ所、または、数ヶ所において堰止めされる。
【発明の効果】
【００１１】
本発明の押しスイッチボタンの防水構造によれば、ボタンとボタン突出孔との隙間から浸入してきた浸入水のスイッチ本体側への流れを、ボタンの軸方向の前後に備えられている浸入水堰止め段部と浸入水堰止めフランジとの２ヶ所または数ヶ所において堰止めすることができる。つまり、ボタンとボタン突出孔との隙間から浸入してきた浸入水に対する防水を、浸入水堰止め段部と浸入水堰止めフランジとの前後２段構えまたは数段構えによってより一層効果的に、かつ、確実に図ることができる。
また、ボタンを器体カバーの外側に突出させるボタン突出孔を有するスイッチ化粧部材と器体カバーの装着窓孔の孔縁周りとの当接部分から浸入してきた浸入水のスイッチ本体側への流れは、当該当接部分から連設させた浸入水流下案内部に流下させ、この浸入水流下案内部が衝合連係する浸入水排出誘導部において堰止めすることができる。
【００１２】
このように、本発明によれば、ボタンとボタン突出孔との隙間から浸入してきた浸入水に対する防水機能がさらに向上され、スイッチ化粧部材が用いられたスイッチの取付け形態では、スイッチ化粧部材と装着窓孔の孔縁周りとの当接部分から浸入してきた浸入水のスイッチ本体側への流れを、侵入水流下案内部と浸入水排水誘導部との連係によって防ぐ防水機能をも兼ね備えている。
これにより、器体カバーの裏側に組み込まれるスイッチ本体の防水に対する信頼性をさらに向上させた押しボタンスイッチの防水構造を提供することができる。
【発明を実施するための最良の形態】
【００１３】
以下、本発明の実施形態について、適宜図面を参照しながら詳細に説明する。
図１は、第１の本実施形態に係る本発明の押しボタンスイッチをレンジフードのフードパネルに取り付けた状態で示す縦断側面図であり、図２は、押しボタンスイッチおよびスイッチ化粧部材、スイッチ取付金具を分解して示す斜視図である。
押しボタンスイッチＡは、電気ミキサー、オーブンレンジやその他の電化製品、或いはレンジフードやその他の調理機器などの電気機器の器体カバーに取り付けられて使用されるものであるが、本実施形態では、押しボタンスイッチＡの押し操作により電源のＯＮ／ＯＦＦ切替え、そして、回転数（排気能力）の強弱切り替えなどが行われる排気モータ（図示省略）を内設しているレンジフードのフードパネル（器体カバー）を一例に挙げて説明する。
【００１４】
≪押しボタンスイッチの構成≫
図１および図２に示すように、押しボタンスイッチＡは、レンジフードのフードパネルＢの裏側に組み込まれるスイッチ本体１と、このスイッチ本体１のスイッチ軸１ａに嵌着されてフードパネルＢの表側に突出されるボタン２とを備えて構成されている。
【００１５】
スイッチ本体１は、合成樹脂材料やその他の絶縁性材料を用いて横長の矩形形状（ボックス形状）に形成されているケーシング１ｂの前面に、長手方向に等間隔をおいた５ヶ所にスイッチ軸１ａが軸方向に摺動可能に突出しており、この各スイッチ軸１ａにボタン２がはめ込み嵌着されるようになっている。
また、スイッチ本体１の上面には、各スイッチ軸１ａと電路によって開閉可能に連係するそれぞれ端子１ｃが備えられている。
このようの形成されているスイッチ本体１は、同じく横長の略矩形形状に形成されているスイッチ取付金具３と、同じく横長に形成されているスイッチ化粧部材４を介してフードパネルＢの裏面側にネジ止めなどによって組み込み取り付けられる。
【００１６】
ボタン２は、不燃性の合成樹脂材料などの所望な成形材料を用いて形成されている。このボタン２は、図１に示すように、後端側を開口させた適宜の外径を有する円筒状に形成され、内部軸芯には閉鎖されている突出先端部（操作押し部）２ａ側から後端開口方向に向けて突出させた軸嵌着部２ｂを備えている。
そして、このように形成されているボタン２の後端開口の周縁に、外向きに突出させた浸入水堰止めフランジ６が備えられているとともに、回り止め突起７が備えられている。
【００１７】
≪浸入水堰止めフランジの構成≫
浸入水堰止めフランジ６は、図１に示すように、スイッチ取付金具３の後記するボタン通孔８の孔径よりも一回りほど大きめなリング径（外径）にてボタン２の後端周縁に全周にわたり外向きに形成されている。
これにより、後記の図３に示すように、ボタン２とスイッチ化粧部材４の後記するボタン突出孔１３との間の隙間ＳからフードパネルＢの裏側に浸入されてきた洗剤を含む浸入水（矢印Ｘで示す）が浸入水堰止めフランジ６によって、スイッチ本体１側へ流れるのを防ぐように堰止められるようにしている。
【００１８】
≪スイッチ取付金具の構成≫
スイッチ取付金具３は、その基本的な構造が周知の形態を呈している。つまり、図１および図２に示すように、折り曲げ加工が可能な板材を用いて横長の略矩形形状で縦断側面視で略コの字形状に形成されている本体部３ａの両側屈曲片部３ｂにスポット溶接などによって溶着されたカバー取付け片部３ｃをそれぞれ備えている構造である。カバー取付け片部３ｃには、スイッチ本体１の全体を覆うように取り付けられるスイッチ保護カバー（図示省略）がネジ止めされるものである。
そして、スイッチ取付金具３の本体部３ａには、各ボタン２を挿通させるそれぞれのボタン通孔８が長手方向に等間隔をおいた５ヶ所に設けられている。ボタン通孔８は、ボタン２の外径よりもわずかに大きめの孔径にて穿設されている。
【００１９】
また、スイッチ取付金具３は、図１および図２に示すように、本体部３ａの上辺部３ａ−１に浸入水排出誘導部９を備えている。
【００２０】
≪浸入水排出誘導部の構成≫
浸入水排出誘導部９は、図１および図２に示すように、上辺部３ａ−１の開放端側を途中部位から斜め上向きに折り返すように折り曲げることで、当該曲げ片部１０の内側において本体部３ａの長手方向の全長にわたり形成されるものである。
これにより、後記の図３に示すように、スイッチ化粧部材４とフードパネルＢに開口されている装着窓孔１１の孔縁周りの当接部ＰからフードパネルＢの裏側に浸入してきた洗剤を含む浸入水（矢印Ｙ）がスイッチ化粧部材４の後記する浸入水流下案内部１２を流下してきた場合、スイッチ本体１側へ流れるのを防ぐように浸入水排出誘導部９によって堰止められるようになっている。
【００２１】
≪スイッチ化粧部材の構成≫
スイッチ化粧部材４は、不燃性の合成樹脂材料などの適宜の成形材料を用いて形成されている。このスイッチ化粧部材４は、スイッチ本体１、スイッチ取付金具３の本体部３ａよりも一回りほど大きめで適宜の厚さと形状を有する横長矩形形状に形成されている。
そして、図１に示すように、押しボタンスイッチＡがフードパネルＢに組み込み取り付けられるときに、横一列に並設する５ヶ所のボタン２をフードパネルＢの表側に突出させるボタン突出孔１３をそれぞれ長手方向に等間隔をおいて備えている。
また、スイッチ化粧部材４は、長手方向両側の裏面上下部位に、フードパネルＢの装着窓孔１１に嵌め合わせ挿入させたときに、図１に示すように、装着窓孔１１の内向き折返し片部１１ａの開放縁部に止着させるための適度の弾性を有する抜け止め爪片部１４をそれぞれ一体に備えている。
【００２２】
また、スイッチ化粧部材４は、図１および図２に示すように、押しボタンスイッチＡがフードパネルＢの装着窓孔１１を通して組み込み取り付けられたときに、スイッチ取付金具３の上辺部３ａ−１に衝合連係させる浸入水流下案内部１２を備えている。
【００２３】
≪浸入水流下案内部の構成≫
浸入水流下案内部１２は、図１に示すように、フードパネルＢの装着窓孔１１の周りに嵌め合わせ当接されるスイッチ化粧部材４の当接周縁部４ａの内側から後方（フードパネルＢ内側）に向けて突設されることで、押しボタンスイッチＡがフードパネルＢの装着窓孔１１を介して組み込み取り付けられたときに、スイッチ取付金具３の上辺部３ａ−１に衝合連係させる形成されている。
これにより、後記の図３に示すように、スイッチ化粧部材４と装着窓孔１１の孔縁周りの当接部ＰからフードパネルＢ内に浸入されてきた洗剤を含む浸入水（矢印Ｙ）がスイッチ本体１側へ流れることなく、スイッチ取付金具３の上辺部３ａ−１へと流下導かれて該上辺部３ａ−１の浸入水排出誘導部９によって堰止められるようになっている。
【００２４】
[作用説明]
つぎに、以上のように構成されている第1の実施形態に係る押しボタンスイッチの防水構造について簡単に説明する。
図３は、フードパネルの外側から内側に侵入してきた浸入水の流れを示す説明図である。
まず、ボタン２とボタン突出孔１３との隙間ＳからフードパネルＢ内に浸入してきた浸入水（矢印Ｘ）のうち、ボタン２の輪切り断面の外周上半部に沿って伝わるよう流れる浸入水の大半は、図３に示すように、スイッチ取付金具３のボタン通孔８を通過してボタン２の後端側への流れ、その流れは当該後端周縁に備えられている侵入水堰止めフランジ６によって堰止められる。
浸入水堰止めフランジ６によって堰止めされた侵入水は、浸入水堰止めフランジ６に沿ってボタン２の外周下半部側へと流れ、フードパネルＢの下向き開口部から外に流れ落ちる。
一方、ボタン２の外周下半部に沿って伝わるように流れる浸入水（矢印Ｘ−１）の大半は、フードパネルＢの内側に位置するボタン突出孔１３の後側孔縁から流れ落ちるように流れ、フードパネルＢ
の外に流れ落ちる。
【００２５】
そして、スイッチ化粧部材４と装着窓孔１１の孔縁周りとの当接部ＰからフードパネルＢ内に浸入してきた浸入水（矢印Ｙ）は、図３に示すように、スイッチ化粧部材４の浸入水流下案内部１２を流下してスイッチ取付金具３の浸入水排出誘導部９への流れ、該浸入水排出誘導部９によって堰止められる。すなわち、スイッチ本体１側への流れを防ぐ。
侵入水排出誘導部９で堰止めされた浸入水は、スイッチ取付金具３の本体部３ａの長手方向両側（両側の屈曲片部３ｂ側）に導かれて当該両側からフードパネルＢの外に流れ落ちる。つまり、スイッチ本体１から外れた位置においてフードパネルＢの外に排出される。
これにより、スイッチ本体１を浸入水（矢印Ｘ、矢印Ｙ）から保護する信頼性をされに向上させた防水効果が得られることになる。
【００２６】
なお、図面を省略しているが、浸入水（矢印Ｘ、矢印Ｙ）がレンジフードの略真下に位置している加熱調理器などに滴下しないように、必要に応じて浸入水受け皿などを装備するとよい。
【００２７】
図４は、第２の本実施形態に係る本発明の押しボタンスイッチをレンジフードのフードパネルに取り付けた状態で示す縦断側面図であり、図５は、押しボタンスイッチおよびスイッチ化粧部材、スイッチ取付金具を分解して示す斜視図である。
この第２の実施形態では、図４および図５に示すように、浸入水堰止めフランジ６を備えたボタン２の外周に、浸入水堰止め段部１５を備えて構成を採用したものである。その以外の構成要素において前記の第１の実施形態と基本的に同じことから、同じ構成要素に同じ符号を付することで重複説明は省略する。
すなわち、図４に示すように、後端周縁に浸入水堰止めフランジ６を備えたボタン２の外周部位に浸入水堰止め段部１５をさらに備えている。
【００２８】
≪浸入水堰止め段部の構成≫
浸入水堰止め段部１５は、図４の（ａ）に示す突出状態から（ｂ）に示す没入状態に、ボタン２が押し操作されたときに、スイッチ取付金具３の本体部３ａに開口されているボタン通孔８を通過しない。つまり、ボタン２が押し操作されたときに、ボタン通孔８を通過してスイッチ本体１側に移動しないボタン２の外周部位において、ボタン２の突出先端部２ａ側の外径よりも一回りほど大きめの段差径にて形成されている。
これにより、後記の図６に示すように、ボタン２とスイッチ化粧部材４のボタン突出孔１３との間の隙間ＳからフードパネルＢの裏側に浸入されてきた洗剤を含む浸入水（矢印Ｘで示す）は、浸入水堰止め段部１５によってスイッチ本体１側へ流れるのを防ぐように堰止められる。そして、仮に浸入水の一部が浸入水堰止め段部１５を通過して（越えて）きた場合には、後方の浸入水堰止めフランジ６によって堰止められるようになっている。
つまり、ボタン２とボタン突出孔１３との隙間Ｓから浸入してきた浸入水は、浸入水堰止め段部１５とその後方の浸入水堰止めフランジ６との前後２ヶ所において、スイッチ本体１側への流れることを防ぐように堰止めされるようになっている。
【００２９】
[作用説明]
つぎに、以上のように構成されている第２の実施形態に係る押しボタンスイッチＡの防水構造について簡単に説明する。ここでは、図４および図５を適宜参照しながら説明する。
図６は、フードパネルの外側から内側に侵入してきた浸入水の流れを示す説明図である。
図６に示すように、ボタン２とボタン突出孔との隙間Ｓからフードパネル内に浸入してきた浸入水（矢印Ｘ）のうち、ボタン２の輪切り断面の外周上半部に沿って伝わるよう流れる浸入水は、ボタン２の軸方向途中部位に備えられている浸入水堰止め段部１５によって堰止められ、浸入水堰止め段部１５に沿ってボタン２の外周下半部側へと流れ、フードパネルＢの外に流れ落ちる。
そして、浸入水堰止め段部１５を通過してボタン２の後端側への流れてきた浸入水の一部は当該後端周縁に備えられている侵入水堰止めフランジ６によって堰止められる。
これにより、ボタン２とボタン突出孔１３との隙間Ｓから浸入してきた浸入水Ｘに対する防水を、浸入水堰止め段部１５と浸入水堰止めフランジ６との前後２段構えによってより一層効果的に、かつ、確実に図ることができる。
【００３０】
ここでは、スイッチ化粧部材４と装着窓孔１１の孔縁周りとの当接部ＰからフードパネルＢ内に浸入してきた浸入水（矢印Ｙ）については、図６に示すように、前記の第1の実施形態と同じことから説明を省略する。
【００３１】
なお、図示を省略しているが、浸入水堰止め段部１５を、ボタン２の軸方向に任意の間隔をおいて複数段備えることができる。この場合、ボタン２の突出先端部２ａ側から浸入水堰止めフランジ６が備えられている後端側に至るにしたがって段差径が徐々に大きくなるように浸入水堰止め段部１５が複数段形成される。
【図面の簡単な説明】
【００３２】
【図１】第１の実施形態に係る本発明の押しボタンスイッチをフードパネルに取り付けた状態で示す縦断側面図であり、（ａ）は、ボタンが押し操作される前の突出状態を示し、（ｂ）は、ボタンが押し操作されたときの没入状態を示す。
【図２】同押しボタンスイッチおよびスイッチ化粧部材、スイッチ金具を分解して示す斜視図である。
【図３】同押しボタンスイッチにおいて、フードパネルの表側からその裏側への浸入水の浸入と、浸入した浸入水が、ボタンの浸入水堰止めフランジ、そしてスイッチ取付金具の浸入水排出誘導路により堰止めされる浸入水の流れを示す説明図である。
【図４】第２の実施形態に係る本発明の押しボタンスイッチをフードパネルに取り付けた状態で示す縦断側面図であり、（ａ）は、ボタンが押し操作される前の突出状態を示し、（ｂ）は、ボタンが押し操作されたときの没入状態を示す。
【図５】同押しボタンスイッチおよびスイッチ化粧部材、スイッチ金具を分解して示す斜視図である。
【図６】同押しボタンスイッチにおいて、フードパネル内に浸入した浸入水が、ボタンの浸入水堰止め段部および浸入水堰止めフランジ、そしてスイッチ取付金具の浸入水排出誘導路より堰止めされる浸入水の流れを示す説明図である。
【符号の説明】
【００３３】
Ａ      押しボタンスイッチ
１      スイッチ本体
１ａ    スイッチ軸
２      ボタン
３      スイッチ取付金具
３ａ−１  上辺部
４      スイッチ化粧部材
６      浸入水堰止めフランジ
８      ボタン通孔
９      浸入水排出誘導部
１０    曲げ片部
１１    装着窓孔
１２    浸入水流下案内部
１３    ボタン突出孔
Ｓ      隙間
Ｂ      フードパネル（器体カバー）
【図１】
2010129195.tif 000003
【図２】
2010129195.tif 000004
【図３】
2010129195.tif 000005
【図４】
2010129195.tif 000006
【図５】
2010129195.tif 000007
【図６】
2010129195.tif 000008